(57)【要約】      （修正有）【課題】光ディスクの位置が所定の位置からディスクトレイに対して手前方向にずれているときに、自動的に所定の位置に誘導する光ディスク装置。【解決手段】光ディスクが載置され、収納位置と取出位置との間をスライド自在に設けられるディスクトレイ２０を備える光ディスク装置において、前記ディスクトレイは上面としてのベース面２２と、当該ベース面よりも低い位置で光ディスクを保持するディスク載置部と、当該ベース面の前端に形成されて移動に連動して開口部を開閉するトレイパネル２３を有し、前記ディスク載置部は、略円形凹状に形成されており、凹部底面２５ａと、前記凹部底面の外周部から上方に向かって広がるように傾斜する略円弧状の傾斜面２５ｂと、前記傾斜面の下端に沿って形成されて光ディスクが載置されるディスク載置面２５ｄと、を有し、前記傾斜面の上端は前記ベース面と同じ高さに形成されるとともに前記トレイパネルに接している。【選択図】図４
2012252750.tif 000002
【特許請求の範囲】
【請求項１】
前面に開口部が設けられたメインシャーシとカバーシャーシとを有する本体筐体と、
光ディスクが載置され、前記本体筐体内に収納される収納位置と前記開口部から前記本体筐体外に引き出される取出位置との間をスライド自在に設けられるディスクトレイと、
を備える光ディスク装置において、
前記ディスクトレイは上面としてのベース面と、当該ベース面よりも低い位置で光ディスクを保持するディスク載置部と、当該ベース面の前端に形成されて当該ベース面の移動に連動して前記開口部を開閉するトレイパネルを有し、
前記ディスク載置部は、略円形凹状に形成されており、凹部底面と、前記凹部底面の外周部から上方に向かって広がるように傾斜する略円弧状の傾斜面と、前記傾斜面の下端に沿って形成されて光ディスクが載置されるディスク載置面と、を有し、
前記傾斜面の上端は前記ベース面と同じ高さに形成されるとともに前記トレイパネルに接していることを特徴とする光ディスク装置。
【請求項２】
前記傾斜面の上端は、前記ディスク載置部に載置される光ディスクに同心楕円状に形成されていることを特徴とする請求項１に記載の光ディスク装置。
【請求項３】
前記傾斜面の表面が鏡面仕上げにて形成されていることを特徴とする請求項１又は請求項２に記載の光ディスク装置。
【請求項４】
前記トレイパネルと前記傾斜面の上端とが接する部分において前記トレイパネルと前記傾斜面との間に、アール又は斜面が形成されたリブが設けられていることを特徴とする請求項１〜請求項３のいずれか１項に記載の光ディスク装置。
【請求項５】
前記トレイパネルの背面側の上面角部は丸く形成されていることを特徴とする請求項１〜請求項４のいずれか１項に記載の光ディスク装置。
【発明の詳細な説明】
【技術分野】
【０００１】
本発明はＣＤ、ＤＶＤなどの光ディスク装置に関し、特に、ディスクトレイに載置された光ディスクの位置が所定の位置でないときに、自動的に所定の位置に誘導する光ディスク装置に関するものである。
【背景技術】
【０００２】
ＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、ＢＤ（Ｂｌｕ−Ｒａｙ Ｄｉｓｃ）等の光ディスクを記録媒体として用いる光ディスク装置では、光ピックアップより出射されたレーザ光を光ディスクの記録面に集光させて照射することでデータの記録を行い、及び（又は）前記記録面に照射され反射してきたレーザ光を検出して情報の再生を行っている。
【０００３】
従来から光ディスク装置として光ディスクを収納したディスクトレイを出し入れするトレイタイプのものと、スロットを通して光ディスクを出し入れするスロットインタイプのものがある。トレイタイプの光ディスク装置は、光ディスクが載置されるディスクトレイを備えており、このディスクトレイが本体ケース（シャーシケース）内に収納された収納位置と、本体ケースから突出した取出位置との間で移動可能となっている。取出位置にあるディスクトレイに光ディスクを載置してから、例えば操作ボタンを押すと、ローディングモータが始動してディスクトレイと共に光ディスクが搬送される。
【０００４】
ところで、ディスクトレイのディスク載置部に載置された光ディスクは、ターンテーブルとクランパーとで挟持され、モーターによって高速回転させられるものであるから、ディスク載置部は光ディスクの位置を定める位置決めの役割を果たす。従って、ディスク載置部の大きさは、光ディスクの大きさよりも若干大きいか、略同等の大きさとなるように形成されている。
【０００５】
しかしながら、ディスクトレイのディスク載置部に光ディスクを載置するのはユーザであり、所定の位置に正確に載置されればよいが、若干の位置ずれを有して載置されると、ディスクトレイを収納位置に搬送する際に光ディスクと光ディスク装置の本体ケースとが接触し、光ディスクが損傷してしまう可能性があった。
【０００６】
そこで、特許文献１に記載されているトレイを備えたディスク装置は、トレイにディスクを載置する為の凹部を概略半円弧の外周縁を対にして形成し、凹部の外周縁はディスク外周縁近傍の底面が当接する載置面とディスク外周縁が当接して位置決めする内周面とを有し、載置面を凹部の底面より高い位置に形成すると共に、載置面の端部を傾斜して凹部の底部と連結している。これにより、正しく載置されなかったディスクが自動的に凹部に嵌ることとしている。
【０００７】
また、特許文献２に記載されているディスクローディング装置は、トレイの上面にディスクが載置され位置決めされる円形の凹部が設けられており、当該凹部は奥側略半分の周縁部より高くしており、また、凹部の奥側周縁部に設けられた爪の高さを、手前側周縁部に設けられた爪の高さよりも高くしている。これにより、トレイの奥側へディスクが極端にずれるのを防止することができることとしている。
【０００８】
また、特許文献３に記載されているディスクの位置補正構造は、トレイの上面内に円板状の回転板を配設し、この円板状の回転板の上面側に第１テ―パー段部、第２テーパー段部、右巻き及び左巻きのゴム製の渦状凸条を複数設けている。これにより、トレイが閉まる直前にディスクをトレイ上の正位置に正確に移動させて、トレイが閉まるときにディスクを傷つけてしまうことがないこととしている。
【先行技術文献】
【特許文献】
【０００９】
【特許文献１】特開２００６−２０９８１９号公報
【特許文献２】特開２００４−２７３０６５号公報
【特許文献３】特開２００３−１００００２号公報
【発明の概要】
【発明が解決しようとする課題】
【００１０】
しかしながら、上記特許文献１に記載されているトレイを備えたディスク装置は、ディスクの位置がトレイに対して左右（ディスクトレイの移動方向に直角な方向）にずれた場合に、ディスクを凹部に嵌るようにするものであり、ディスクの位置がトレイに対して手前方向（ディスクトレイの移動方向に平行な方向であって、トレイパネル側）にずれた場合に、ディスクを凹部に嵌るようにするものではない。
【００１１】
また、上記特許文献２に記載されているディスクローディング装置は、ディスクが爪（傾斜面）に載置された場合に爪上面の傾斜面を滑り落ちて凹部に入りやすくなるようにするものであるが、ディスクの位置がトレイに対して手前方向（ディスクトレイの移動方向に平行な方向であって、トレイパネル側）にずれて傾斜面に載置されない場合に、ディスクを凹部に嵌るようにするものではなく、また、ディスクの位置がトレイに対して手前方向にずれたときに傾斜面に載置されない状態になることを防止する構造についてはなんら開示されていない。
【００１２】
また、上記特許文献３に記載されているディスクの位置補正構造は、トレイ上に回転体が設けられていることにより、当該回転体を回転させて慣性力を発生させてディスクの位置を補正するものであるが、当該回転体が設けられていないトレイにおいて、ディスクの位置がトレイに対して手前方向（ディスクトレイの移動方向に平行な方向であって、トレイパネル側）にずれた場合に、ディスクを凹部に嵌るようにする構造についてはなんら開示されていない。また、トレイ上の回転体を回転させる構造及び制御が必要になるため、ディスク装置の構造及び制御が複雑化する。
【００１３】
本発明は上述した問題点に鑑み、光ディスクの位置が所定の位置からディスクトレイに対して手前方向にずれているときに、複雑な構造や制御を要することなく光ディスクを自動的に所定の位置に誘導する光ディスク装置を提供することを目的とする。
【課題を解決するための手段】
【００１４】
上記目的を達成するために本発明の光ディスク装置は、前面に開口部が設けられたメインシャーシとカバーシャーシとを有する本体筐体と、光ディスクが載置され、前記本体筐体内に収納される収納位置と前記開口部から前記本体筐体外に引き出される取出位置との間をスライド自在に設けられるディスクトレイと、を備える光ディスク装置において、前記ディスクトレイは上面としてのベース面と、当該ベース面よりも低い位置で光ディスクを保持するディスク載置部と、当該ベース面の前端に形成されて当該ベース面の移動に連動して前記開口部を開閉するトレイパネルを有し、前記ディスク載置部は、略円形凹状に形成されており、凹部底面と、前記凹部底面の外周部から上方に向かって広がるように傾斜する略円弧状の傾斜面と、前記傾斜面の下端に沿って形成されて光ディスクが載置されるディスク載置面と、を有し、前記傾斜面の上端は前記ベース面と同じ高さに形成されるとともに前記トレイパネルに接していることを特徴としている。
【００１５】
この構成によれば、トレイパネルと傾斜面の上端とが接する部分においてトレイパネルと傾斜面との間にはベース面が形成されていないので、ユーザが光ディスクを載置する際に手前方向に位置ずれを有して載置しても、光ディスクが傾斜面に接触し、ディスク載置面に誘導される。
【００１６】
また上記構成の光ディスク装置において、前記傾斜面の上端は、前記ディスク載置部に載置される光ディスクに同心楕円状に形成されていることが望ましい。
【００１７】
この構成によれば、光ディスクの中心孔の位置及びトレイパネルの位置を変えることなく、傾斜面とトレイパネルとが接するように形成することができる。
【００１８】
また上記構成の光ディスク装置において、前記傾斜面の表面が鏡面仕上げにて形成されていることが望ましい。
【００１９】
この構成によれば、傾斜面の表面に接触した光ディスクを円滑にディスク載置面に誘導することができる。
【００２０】
また上記構成の光ディスク装置において、前記トレイパネルと前記傾斜面の上端とが接する部分において前記トレイパネルと前記傾斜面との間に、アール又は斜面が形成されたリブが設けられていることが望ましい。
【００２１】
この構成によれば、傾斜面の中央部（傾斜面の上端とトレイパネルとが接している部分の近傍）における傾斜角度が緩やかであっても、光ディスクがリブに接触して滑り落ちることによって光ディスクがある程度の勢いを有したまま傾斜面に接触するので、光ディスクを確実にディスク載置面に誘導することができる。
【００２２】
また上記構成の光ディスク装置において、前記トレイパネルの背面側の上面角部は丸く形成されていることが望ましい。
【００２３】
この構成によれば、トレイパネルの上面に光ディスクが載置されたときに、光ディスクを傾斜面やディスク載置面に誘導することができる。
【発明の効果】
【００２４】
本発明によれば、トレイパネルと傾斜面の上端とが接する部分においてトレイパネルと傾斜面との間にはベース面が形成されていないので、ユーザが光ディスクを載置する際に手前方向に位置ずれを有して載置しても、光ディスクが傾斜面に接触し、ディスク載置面に誘導される。
【図面の簡単な説明】
【００２５】
【図１】は、本発明の光ディスク装置の外観を示す斜視図である。
【図２】は、本発明の光ディスク装置が備えるディスクトレイの構造を示す上面図である。
【図３】は、本発明の光ディスク装置が備えるディスクトレイの構造を示す側面図である。
【図４】は、本発明の光ディスク装置が備えるディスクトレイに光ディスクが載置されたときの状態を示す第１の側面断面図である。
【図５】は、本発明の光ディスク装置が備えるディスクトレイに光ディスクが載置されたときの状態を示す第２の側面断面図である。
【図６】は、本発明の光ディスク装置が備えるディスクトレイの側面断面図における要部拡大図である。
【発明を実施するための形態】
【００２６】
以下に本発明の光ディスク装置について図面を参照して説明する。但し、以下に示す実施形態は、本発明の技術的思想を具体化するために本発明の光ディスク装置の一例を示すものであって、本発明をこの光ディスク装置に特定することを意図するものではなく、特許請求の範囲に含まれるその他の実施形態の装置にも等しく適応し得るものである。
【００２７】
なお、以下の説明において、「前後」は、ディスクトレイの移動方向に平行な方向であって、取出位置側が「前」、収納位置側が「後」であることする。また、「上下」は、ディスクトレイに載置された光ディスクのレーベル面側（文字や画像等の印刷面）が「上」、記録面側が「下」であることとする。また、「左右」は、光ディスクのレーベル面を上としたときに光ディスク装置に正対する観察者の左手側が「左」、右手側が「右」であることとする。
【００２８】
図１は、本発明の光ディスク装置の外観を示す斜視図である。図１に示すように光ディスク装置１０は、本体筐体１と、光ディスクを本体筐体１内に搬送するディスクトレイ２０とを備えている。本体筐体１は、上面が開口形成され、また、前面に開口部２ａが形成されたメインシャーシ２と、メインシャーシ２の上部を覆うように設けられたカバーシャーシ３とを有して構成されている。
【００２９】
ディスクトレイ２０は光ディスクが載置され、本体筐体１内に収納される収納位置と、開口部２ａから本体筐体１外に引き出される（本体筐体１から突出した）取出位置との間でスライド自在に設けられており、図１はディスクトレイ２０が収納位置にある状態を示している。
【００３０】
光ディスク装置１０はさらに、メインシャーシ２に昇降可能に取り付けられたトラバースシャーシと、トラバースシャーシに取り付けられ光ディスクを保持するとともに回転駆動するディスク駆動部と、トラバースシャーシに取り付けられ光ディスクに記録／再生用のレーザ光を照射する光ピックアップと、カバーシャーシ３に取り付けられているクランパーとを備えている（それぞれ図示せず）。
【００３１】
このような光ディスク装置１０において、光ディスクをディスクトレイ２０に載置してディスクトレイ２０が収納位置に移動すると、トラバースシャーシが上昇し、光ディスクがターンテーブルとクランパーに挟まれて回転する共に、光ピックアップがターンテーブルの方へ移動しながら、レーザービームを光ディスクに照射し、記録・再生が行われる。
【００３２】
図２は、本発明の光ディスク装置が備えるディスクトレイの構造を示す上面図である。ディスクトレイ２０は樹脂の一体成型体であって矩形板状に形成されており、中央から後方に向かって矩形状の開口２１が形成されている。そして、ディスクトレイ２０は、上面としてのベース面２２と、ベース面２２の前端に形成されるトレイパネル２３と、ベース面２２よりも低い位置で光ディスクが載置されるディスク載置部２４とを有する。
【００３３】
トレイパネル２３は、プラスチック等の合成樹脂部材からなる横長の板部材であり、ベース面２２の前端に形成され、ベース面２２の移動（ディスクトレイ２０の収納位置と取出位置との間の移動）に連動して移動し、本体筐体１（本体筐体１が有するメインシャーシ２）の開口部２ａを開閉する。
【００３４】
ディスク載置部２４は大径ディスク（直径１２ｃｍの光ディスク）が載置される大径ディスク載置部２５と、小径ディスク（直径８ｃｍの光ディスク）が載置される小径ディスク載置部２６とを有する。大径ディスク載置部２５と小径ディスク載置部２６とは共に略円形凹状に形成されており、小径ディスク載置部２６は大径ディスク載置部２５の略中央に、大径ディスク載置部２５に同心状に形成されている。
【００３５】
大径ディスク載置部２５は、第１の凹部底面２５ａと、第１の凹部底面２５ａの外周部から上方に向かって広がるように傾斜する略半円弧状の傾斜面２５ｂ、２５ｃと、傾斜面２５ｂ及び２５ｃの両端内周側に傾斜面２５ｂ及び２５ｃの下端に沿って形成されるディスク載置面２５ｄとを有する。なお、傾斜面２５ｂ及び傾斜面２５ｃの上端はベース面２２と同じ高さに形成されている。
【００３６】
傾斜面２５ｂ、２５ｃは光ディスクの外周縁に当接して光ディスクの位置決めを行うために、略半円弧状に形成されている。なお、傾斜面２５ｃは開口２１によって二つ（左右）に分断されている。
【００３７】
傾斜面２５ｂと２５ｃのうち、トレイパネル２３側に形成されている傾斜面２５ｂの上端は、大径ディスク載置部２５に載置される光ディスク（以下において特に断りがない限り、「大径ディスク載置部２５に載置される光ディスク」は「大径ディスク載置部２５に正しく載置された状態の光ディスク」を意味するものとする。また、「小径ディスク載置部２６に載置される光ディスク」も同様である。）と同心楕円弧状に形成されている。
【００３８】
具体的には、光ディスクの中心を点Ｏとすると、点Ｏから傾斜面２５ｂの上端両端までの距離Ｌ１に比べて、点Ｏから傾斜面２５ｂの上端とトレイパネル２３との接点（傾斜面２５ｂの上端中央部）までの距離Ｌ２のほうが長くなるように形成されている。これにより、光ディスクの中心孔（光ディスクの中心点Ｏ）の位置及びトレイパネルの位置を変えることなく、傾斜面２５ｂの上端がトレイパネル２３に接するように形成することができる。言い換えると、トレイパネル２３と傾斜面２５ｂの上端とが接する部分においてトレイパネル２３と傾斜面２５ｂとの間にはベース面２２が形成されていない。
【００３９】
また、傾斜面２５ｂの下端は、大径ディスク載置部２５に載置される光ディスクに同心円弧状に形成されている。従って、点Ｏから傾斜面２５ｂの下端までの距離は、点Ｏから傾斜面２５ｂの下端両端までの距離と、点Ｏから傾斜面２５ｂの下端中央部までの距離とが略同距離に形成されている。これにより後述するように傾斜面２５ｂの下端に沿って形成されるディスク載置面２５ｄが楕円状に形成されることを防ぐことができる。また、図２に示す上面図において、両端部における傾斜面２５ｂの幅よりも、中央部（傾斜面２５ｂの上端とトレイパネルとが接している部分の近傍）における傾斜面２５ｂの幅のほうが大きくなっている。
【００４０】
なお、傾斜面２５ｃの上端及び下端はいずれも大径ディスク載置部２５に載置される光ディスクに同心円弧状に形成されている。
【００４１】
ディスク載置面２５ｄは傾斜面２５ｂ及び２５ｃの両端内周側に傾斜面２５ｂ及び２５ｃの下端に沿って合計四つ形成されている。ディスク載置面２５ｄには、光ディスクの外周部の底面（記録面側）が接するようにして光ディスクが載置される。ディスク載置面２５ｄに光ディスクが載置されている状態において、光ディスクがベース面２２よりも低い位置であって、且つ、第１の凹部底面２５ａよりも高い位置に位置されるように形成されている。すなわち、ディスク載置面２５ｄに光ディスクが載置された状態において、光ディスクと第１の凹部底面２５ａとの間に空間が形成されるので、光ディスクと第１の凹部底面２５ａとが接触することにより光ディスクが損傷することを防ぐことができる。
【００４２】
小径ディスク載置部２６は、第２の凹部底面２６ａと、第２の凹部底面２６ａの外周部から上方に向かって広がるように傾斜する略円弧状の傾斜面２６ｂと、傾斜面２６ｂの内周側に傾斜面２６ｂの下端に沿って形成されるディスク載置面２６ｃとを有する。なお、傾斜面２６ｂの上端は第１の凹部底面２５ａと同じ高さに形成されている。
【００４３】
傾斜面２６ｂとディスク載置面２６ｃとは開口２１によって一部切り欠いた形状に形成されており、また、略円弧状に形成されている。傾斜面２６ｂは大径ディスク載置部２５の傾斜面２５ｂ、２５ｃと同様に光ディスクの外周縁に当接して光ディスクの位置決めを行い、ディスク載置面２６ｃには大径ディスク載置部２５のディスク載置面２５ｄと同様に光ディスクの外周部の底面（記録面側）が接するようにして光ディスクが載置される。
【００４４】
そして、ディスク載置面２６ｃに光ディスクが載置されている状態において、光ディスクが第１の凹部底面２５ａよりも低い位置であって、且つ、第２の凹部底面２６ａよりも高い位置に位置されるように形成されている。すなわち、ディスク載置面２６ｃに光ディスクが載置された状態において、光ディスクと第２の凹部底面２６ｃとの間に空間が形成されるので、光ディスクと第２の凹部底面２６ｃとが接触することにより光ディスクが損傷することを防ぐことができる。
【００４５】
上述したようなディスクトレイ２０に大径ディスク（直径１２ｃｍの光ディスク）が、ディスクトレイ２０に対して手前方向（ディスクトレイ２０の移動方向に平行な方向であって、トレイパネル２３側（図３〜図５においては左方向））に位置ずれを有して載置された場合について図３〜図５を参照して説明する。図３は、本発明の光ディスク装置が備えるディスクトレイの構造を示す側面図である。
【００４６】
図３が示すように大径ディスク載置部２５はベース面２２よりも低い位置で光ディスク（大径ディスク）が載置されるように凹状に形成されている。大径ディスク載置部２５は上述したように略円形凹状に形成されており、大径ディスク載置部２５が有する傾斜面２５ｂの上端はディスクパネル２３に接している（図２参照）。
【００４７】
図４は、本発明の光ディスク装置が備えるディスクトレイに光ディスクが正しく載置された状態を示す側面断面図である。また、図５は、本発明の光ディスク装置が備えるディスクトレイに光ディスクが位置ずれを有して載置された状態を示す側面断面図である。
【００４８】
図４が示すように光ディスクがディスク載置面２５ｄに正しく載置される（光ディスクの外周部の底面がディスク載置面２５ｄに接触する）と、傾斜面２５ｂと光ディスクの外周縁とが当接して光ディスクの位置が所定の位置に位置決めされる。一方、図５に示すように光ディスクがディスク載置面２５ｄに正しく載置されず、ディスクトレイ２０に対して手前方向（図５における左方向）に位置ずれを有して載置された場合には、上述したようにトレイパネル２３と傾斜面２５ｂの上端とが接する部分においてトレイパネル２３と傾斜面２５ｂとの間にはベース面２２が形成されていないので、光ディスクの外周部の底面は傾斜面２５ｂに接触する。
【００４９】
そして、光ディスクの外周部の底面が傾斜面２５ｂに接触すると、光ディスクは傾斜面２５ｂを滑り落ちるようにしてディスク載置面２５ｄに誘導され、ディスク載置面２５ｄに正しく載置される。なお、傾斜面２５ｂは鏡面仕上げにて形成されており、接触部２５ｂに接触した光ディスクを円滑にディスク載置面２５ｄに誘導することができる。
【００５０】
[その他の実施形態]
上述したように上記実施形態において傾斜面２５ｂは、点Ｏから傾斜面２５ｂの上端両端までの距離Ｌ１に比べて、点Ｏから傾斜面２５ｂの上端とトレイパネル２３との接点（傾斜面２５ｂの上端中央部）までの距離Ｌ２のほうが長くなるように形成されている一方で、点Ｏから傾斜面２５ｂの下端両端までの距離と、点Ｏから傾斜面２５ｂの下端中央部までの距離とが略同距離に形成されている。
【００５１】
従って、傾斜面２５ｂの傾斜角度は、両端に比べて中央部のほうが緩やかになるように形成されており、光ディスクが静かに傾斜面２５ｂに載置された（接触した）場合に光ディスクがディスク載置面２５ｄに誘導されないことが考えられる。
【００５２】
そこで、トレイパネル２３と傾斜面２５ｂの上端とが接する部分においてトレイパネル２３と傾斜面２５ｂとの間に、アール又は斜面が形成されたリブを設けることとしてもよい。当該リブが形成されることにより、当該リブに接触した光ディスクは当該リブを滑って、ある程度の勢いを有したまま傾斜面２５ｂに接触するので、光ディスクを確実にディスク載置面２５ｄに誘導することができる。
【００５３】
図６は本発明の光ディスク装置が備えるディスクトレイの側面図断面図における要部拡大図である。リブ２７の一例としては、図６が示すようにトレイパネル２３と傾斜面２５ｂとの間に、斜面を有する略三角柱形のリブ２７が設けられている。そして、リブ２７の斜面の傾斜角度は傾斜面２５ｂの傾斜角度よりも急となるように形成されているので、リブ２７の斜面に光ディスクが接触することによって上述したように光ディスクがディスク載置面２５ｄに誘導される。
【００５４】
また、上記実施形態においてトレイパネル２３は横長且つ薄型の板部材であるが、トレイパネル２３がある程度の厚さを有している場合には、背面側（メインシャーシ２の開口部２ａに正対する側）の上面角部を丸く形成することとしてもよい。これにより、トレイパネル２３の上面に光ディスクが載置されたときに、光ディスクを傾斜面２５ｂやディスク載置面２５ｄに誘導することができる。
【００５５】
また、上記実施形態において、大径ディスク載置部２５が有する傾斜面２５ｃと小径ディスク載置部２６が有する傾斜面２６ｂとは、傾斜することとしているが、傾斜しないこととしてもよく、例えば傾斜を有しない内周面であることとしてもよい。
【００５６】
また、上記実施形態において、大径ディスク載置部２５は略半円弧状の傾斜面を二つ（傾斜面２５ｂと傾斜面２５ｃ）を有することとしているが、小径ディスク載置部が有する傾斜面２６ｂのように、略円弧状の傾斜面を一つ有することとしてもよい。その場合、大径ディスク載置部２５が有する略円弧状の傾斜面の上端はその前部が大径ディスク載置部２５に載置される光ディスクに同心楕円弧状に形成され、その後部が大径ディスク載置部２５に載置される光ディスクに同心円弧状に形成される。
【００５７】
また、上記実施形態においてディスク載置部２４は大径ディスク載置部２５と小径ディスク載置部２６を有しているが、例えば大径ディスク載置部２５を有し、小径ディスク載置部２６を有さないものであってもよい。その場合、ディスク載置部２４が略円形凹状に形成されており、ディスク載置部２４は、凹部底面（図２における第１の凹部底面２５ａ）と、凹部底面の外周部から上方に向かって広がるように傾斜する略半円弧状の傾斜面（図２における傾斜面２５ｂ、２５ｃ）と、傾斜面の両端内周側に傾斜面の下端に沿って形成されるディスク載置面（図２におけるディスク載置面２５ｄ）とを有すると言い換えることができる。
【産業上の利用可能性】
【００５８】
本発明は、ディスクトレイに載置された光ディスクの位置が所定の位置でないときに、自動的に所定の位置に誘導する光ディスク装置に利用できる。
【符号の説明】
【００５９】
１０  光ディスク装置
２０  ディスクトレイ
２２  ベース面
２３  トレイパネル
２４  ディスク載置部
２５  大径ディスク載置部
２５ａ  第１の凹部底面
２５ｂ、２５ｃ  傾斜面
２５ｄ  ディスク載置面
２６  小径ディスク載置部
【図１】
2012252750.tif 000003
【図２】
2012252750.tif 000004
【図３】
2012252750.tif 000005
【図４】
2012252750.tif 000006
【図５】
2012252750.tif 000007
【図６】
2012252750.tif 000008